(57)【要約】【課題】使用者が吐水後にフック等の受け部に掛けても、散水孔よりシャワーヘッド内に残留している湯水がエアー交換により水滴となって流出することなく水垂れを防止し、吐水時に低水圧の使用であっても全ての散水孔から散水させることができるシャワーヘッドを提供する。【解決手段】通水路１１と、下流側先端部１２に内周側が開口され周縁に下流方向に向かってフランジ部２３が形成されている通水板開口部２２を有した通水板２０とを内部に備えるシャワーヘッド本体１０と、下流側先端部１２で通水板２０に対向しシャワーヘッド本体１０に取り付けられる複数の散水孔３１を有する散水板３０と、通水板２０と散水板３０との間に配置され内周側に止水弁開口部４１が形成され、止水時に散水板３０の外周側と当接し散水孔３１を閉塞する接触部４３を有する止水弁４０と、通水板２０と止水弁４０との間に配置される弾性体５０と、を備える構成とした。【選択図】図２
2019118637.tif 000002
【特許請求の範囲】
【請求項１】
通水路と、前記通水路の下流側先端部に内周側が開口され周縁に下流方向に向かってフランジ部が形成されている通水板開口部を有した通水板と、を内部に備えるシャワーヘッド本体と、
前記通水路の下流側先端部であって前記通水板に対向し前記シャワーヘッド本体に取り付けられる複数の散水孔を有する散水板と、
前記通水板と前記散水板との間に配置され内周側に前記通水板のフランジ部の外径より大きい止水弁開口部が形成され、止水時に前記散水板と当接し外周側の前記散水孔を閉塞する接触部を有する止水弁と、
前記通水板のフランジ部の外周側で前記止水弁との間に配置される弾性体と、
を備えることを特徴とするシャワーヘッド。
【請求項２】
止水時に前記散水板の外周側と当接し外周側の散水孔を閉塞する前記止水弁の接触部の面積は、前記散水板の散水孔を有する部分の面積の４０乃至８０％であることを特徴とする請求項１に記載のシャワーヘッド。
【請求項３】
前記止水弁は、止水弁開口部の断面形状が前記接触部から前記止水弁開口部までテーパー形状に形成され、前記散水板は、中央部に上流側に向かって散水板錐形部が形成され、前記散水板に対向している前記下流側先端部の対向面には、前記散水板錐形部に対向するように下流側に向かって本体錐形部が形成されていることを特徴とする請求項１又は２に記載のシャワーヘッド。
【請求項４】
前記弾性体がコイルスプリングであることを特徴とする請求項1乃至３のいずれかに記載のシャワーヘッド。
【発明の詳細な説明】
【技術分野】
【０００１】
本発明は、主に浴室やシャワー室で使用されるシャワーヘッドに関する。
【背景技術】
【０００２】
従来、通水路を有するシャワーヘッド本体と、通水路の下流側先端部であってシャワーヘッド本体に取り付けられる複数の散水孔を有する散水板とを備えるシャワーヘッドが使用されている。このような構成のシャワーヘッドは、使用者が吐水後に壁面に設けられているフック等の受け部に掛けると、散水孔からの外気の侵入によりエアー交換が起こり散水孔よりシャワーヘッド内に残留している湯水が水滴となって流出し、水垂れが生じるという不具合があった。
【０００３】
これに対し、下記特許文献１では、散水板の上流側で全面に網を掛け、網目の表面張力を利用してエアー交換によるシャワーヘッド内の湯水の流出を防止し、水垂れが生じさせないようにするシャワーヘッドについて記載されている。
【０００４】
更に、下記特許文献２では、散水板の上流側に、複数の散水孔を閉塞する大きさの遮水板を設け、止水時には散水孔を閉塞するためにバネの付勢力により散水板に当接させ、吐水時には水圧により布勢力に反して散水板から離反させる構成のシャワーヘッドについて記載されている。
【０００５】
しかしながら、下記特許文献１では、網を用いることにより残留湯水を表面張力で保持するものであるので、一時的には水垂れを防止できるが、フック等の受け部に長時間かけておくと表面張力で保持されている湯水が重力で垂れ落ちるとの不具合があった。
【０００６】
また、下記特許文献２では、止水時の水垂れ防止はできるが、吐水時にバネの付勢力に反して遮水板を散水板から完全に離反させ全ての散水孔に通水させるためには高水圧で使用する必要があり、低水圧で使用した場合、遮水板が散水板から離反し散水孔に通水させることができる部分と、遮水板が散水板から離反せず散水孔が閉塞されたままで、通水させることができない部分が共存するとの不具合があった。
【先行技術文献】
【特許文献】
【０００７】
【特許文献１】特開２００２−３５５５８１号公報
【特許文献２】特開２００７−２７５５３０号公報
【発明の概要】
【発明が解決しようとする課題】
【０００８】
本発明は、かかる上述の不具合点を解決するためになされたものであって、その目的とするところは、使用者が吐水後に壁面等に設けられているフック等の受け部に掛けても、散水孔よりシャワーヘッド内に残留している湯水がエアー交換により水滴となって流出せずに水垂れが生じることがなく、吐水時に低水圧の使用であっても全ての散水孔から散水させることができるシャワーヘッドを提供することである。
【課題を解決するための手段】
【０００９】
上記目的を達成するため、本発明の請求項１に係るシャワーヘッドは、通水路と、前記通水路の下流側先端部に内周側が開口され周縁に下流方向に向かってフランジ部が形成されている通水板開口部を有した通水板と、を内部に備えるシャワーヘッド本体と、前記通水路の下流側先端部であって前記通水板に対向し前記シャワーヘッド本体に取り付けられる複数の散水孔を有する散水板と、前記通水板と前記散水板との間に配置され内周側に前記通水板のフランジ部の外径より大きい止水弁開口部が形成され、止水時に前記散水板と当接し外周側の前記散水孔を閉塞する接触部を有する止水弁と、前記通水板のフランジ部の外周側で前記止水弁との間に配置される弾性体と、を備えることを特徴とするものである。
【００１０】
また、本発明の請求項２に係るシャワーヘッドは、請求項１に記載のシャワーヘッドにおいて、止水時に前記散水板の外周側と当接し外周側の散水孔を閉塞する前記止水弁の接触部の面積は、前記散水板の散水孔を有する部分の面積の４０乃至８０％であることを特徴とするものである。
【００１１】
また、本発明の請求項３に係るシャワーヘッドは、請求項１又は２に記載のシャワーヘッドにおいて、前記止水弁は、止水弁開口部の断面形状が前記接触部から前記止水弁開口部までテーパー形状に形成され、前記散水板は、中央部に上流側に向かって散水板錐形部が形成され、前記散水板に対向している前記下流側先端部の対向面には、前記散水板錐形部に対向するように下流側に向かって本体錐形部が形成されていることを特徴とするものである。
【００１２】
また、本発明の請求項４に係るシャワーヘッドは、請求項１乃至３のいずれかに記載のシャワーヘッドにおいて、前記弾性体がコイルスプリングであることを特徴とするものである。
【発明の効果】
【００１３】
本発明は、以下の効果を奏する。
【００１４】
すなわち、上記構成を備えた本発明のシャワーヘッドは、通水路と、前記通水路の下流側先端部に内周側が開口され周縁に下流方向に向かってフランジ部が形成されている通水板開口部を有した通水板と、を内部に備えるシャワーヘッド本体と、前記通水路の下流側先端部であって前記通水板に対向し前記シャワーヘッド本体に取り付けられる複数の散水孔を有する散水板と、前記通水板と前記散水板との間に配置され内周側に前記通水板のフランジ部の外径より大きい止水弁開口部が形成され、止水時に前記散水板と当接し外周側の前記散水孔を閉塞する接触部を有する止水弁と、前記通水板のフランジ部の外周側で前記止水弁との間に配置される弾性体とを備えているので、止水時には、弾性体の付勢力で止水弁の接触部が散水板と当接し外周側に形成されている散水孔を閉塞するので、散水板の内周側に形成されている散水孔からエアーが流入し、シャワーヘッド本体の内部に残留している湯水が散水板の外周側に形成されている散水孔より流出する水垂れを防止すると共に、止水弁の接触部は、散水板の外周部に形成されている散水孔にのみ当接しているので、吐水時には弾性体の付勢力に反して容易に止水弁を上流側に移動させるのでことができ、低水圧で使用した場合でも全ての散水孔に通水させることができる。
【００１５】
更に、止水時に前記散水板の外周側と当接し外周側の散水孔を閉塞する前記止水弁の接触部の面積は、前記散水板の散水孔を有する部分の面積の４０乃至８０％としたことにより、４０％以下で発生する散水孔からの湯水の流出による水垂れを防止することができると共に、８０％以上で発生する止水弁が上流側に移動せずに散水板の外周側に存在する散水孔から通水することができないとの不具合を防止することができる。
【００１６】
更に、前記止水弁は、止水弁開口部の断面形状が前記接触部から前記止水弁開口部までテーパー形状に形成され、前記散水板は、中央部に上流側に向かって散水板錐形部が形成され、前記散水板に対向している前記下流側先端部の対向面には、前記散水板錐形部に対向するように下流側に向かって本体錐形部が形成されているので、通水路からの水流を散水板全体に、特に外周側まで導くことが容易となり、吐水時にはより容易に止水弁を上流側に移動させることができ、低水圧で使用した場合でも確実に全ての散水孔に通水させることができる。
【００１７】
更に、弾性体としてコイルスプリングを用いることで、止水時に止水弁の接触部を確実に散水板に当接させることができると共に、吐水時には接触部を上流側に滑らかに移動させることができる。
【図面の簡単な説明】
【００１８】
【図１】シャワーヘッドの斜視図である。
【図２】本発明に係るシャワーヘッドの部分断面説明図である。
【図３】本発明に係る止水弁の断面説明図である。
【図４】図２における止水弁が上流側に移動した状態を示す部分断面説明図である。
【発明を実施するための形態】
【００１９】
以下に図面を参照して、この発明の実施形態を例示して説明する。
【００２０】
図１は、シャワーヘッドをフックに掛けた状態を示す斜視図であり、図２は、本発明に係るシャワーヘッドの下流側先端部の断面説明図であり、図３は、本発明に係る止水弁の断面説明図であり、図４は、図２における止水弁が上流側に移動した吐水状態を示す部分断面説明図である。
【００２１】
図１に示す通り、シャワーヘッド１は、図示しない湯水混合水栓から分岐したシャワーホース２に上流側端部４でジョイント５等を介して連結され、止水時にはフック３に掛けられている。
【００２２】
図２に示す通り、本発明のシャワーヘッド１は、シャワーヘッド本体１０と、散水板３０と、止水弁４０と、弾性体５０とを備えている。
【００２３】
シャワーヘッド本体1０は、通水路１１と、通水板２０とを内部に備えている。通水路１１は、シャワーヘッド本体１０の内部であって、上流側端部４から下流側先端部１２まで貫通されている。
【００２４】
通水路１１の下流側先端である下流側先端部１２の内面で、後述する散水板３０に対向している対向面１３の中央に、逆円錐形状の本体錐形部１４が形成されている。この本体錐形部１４が形成されていることで、通水路１１から流れてきた湯水が散水板３０の方向に向かって流れ易いようになっている。
【００２５】
通水板２０は、シャワーヘッド本体１０の下流側先端部１２の内部で、散水板３０と対向するように螺子等で外周側周面２１が、下流側先端部１２の内周壁１５に固定されている。通水板２０の外周側周面２１はシャワーヘッド本体１０の内周壁１５と密接し、外周側周面２１と内周壁１５との間からは湯水が流れないようになっている。
【００２６】
通水板２０は、内周側に円形に開孔された通水板開口部２２を有し、通水板開口部２２の周縁には、通水路１１から流れてきた湯水が散水板３０に向かって流れやすいようにフランジ部２３が形成されている。
【００２７】
散水板３０は、外周部３３が下流側先端部１２の内周壁１５の下流側端部１６に螺合により固定されている。散水板３０には、複数の散水孔３１が形成されていて、中央に上流側に向かって円錐形状の散水板錐形部３２が本体錐形部１４と対向するように形成されている。散水板錐形部３２が形成されていることで、上述の通水板開口部２２からフランジ部２３を通って流れてきた湯水が、散水板３０の全面に、特に外周側までも流れ易いようになっていて、吐水時に後述する止水弁４０が上流側に移動しやすいようになっている。尚、散水板錐形部３２の位置には散水孔３１が形成されていないことは言うまでもない。
【００２８】
図３に示す通り、止水弁４０は、内周側に止水弁開口部４１が形成されていて、内径は上述の通水板開口部２２の周縁に形成されているフランジ部２３の外径より大きく成形されている。従って、止水弁４０を通水板２０と散水板３０との間に配置したとき、止水弁開口部４１の内周壁４２が通水板２０のフランジ部２３の外周壁２４と接するようになっている。
【００２９】
止水弁４０の外周側には、止水時に散水板３０の外周側と当接し、散水板３０の外周側に位置する散水孔３１を閉塞する接触部４３が形成されている。接触部４３が散水板３０と当接する接触面４４の面積は、散水板３０における散水孔３１が形成されている面積の４０％乃至８０％の範囲に設定されているのが好適であり、５０％乃至７０％の範囲で形成されているのがより好適である。４０％以下であると止水時にエアー交換が発生し、接触部４３が当接していない散水孔３１からエアー交換でシャワーヘッド内部に残留している湯水が流出し水垂れを防止することができないためであり、８０％以上であると吐水時に低水圧で使用した場合、止水弁４０を後述するコイルスプリング５０の付勢力に逆らって上流側に移動させることができないためである。
【００３０】
止水弁４０を軸方向に切断した縦断面における止水弁開口部４１の形状は図３に示す通り、接触部４３の接触面４４から止水弁開口部４１の内周壁４２に掛けて徐々に狭くなるようなテーパー形状４５になっている。これにより通水板３０のフランジ部２３を流れてきた湯水が散水板３０の外周側に向かって特に流れ易いようになっている。
【００３１】
通水板２０のフランジ部２３の外周側であって、通水板２０と止水弁４０との間には、弾性体としてのコイルスプリング５０が配置されていて、止水時にはコイルスプリング５０の付勢力により止水弁４０の接触面４４が散水板３０に当接し、外周側の散水孔３１が閉塞されるようになっている。尚、弾性体としては、コイルスプリングの他に板バネ等を使用しても良い。
【００３２】
次に、本発明の作用について説明する。
【００３３】
図２は、止水時の状態を示している。この状態のとき止水弁４０の接触面４４は、コイルスプリング５０の付勢力で散水板３０に当接し、散水板３０の外周側の散水孔３１を閉塞する。この場合、閉塞されていない内周側の散水孔３１からはエアーがシャワーヘッド本体１０に流入することはないのでエアー交換が発生することがなく、シャワーヘッド本体１０の内部に残留している湯水が流出せず水垂れを防止することが可能なる。
【００３４】
図４は、吐水時の状態を示している。吐水時には、通水路１１を通った湯水は、本体錐形部１４に当たって通水板２０のフランジ部２３を散水板３０に向かって流れる。フランジ部２３を通過した湯水は、散水板錐形部３２により散水板３０の外周側に向かって均一に流れる。このとき、止水弁開口部４１の断面形状が接触面４４から内周壁４２に掛けてテーパー形状４５であるので湯水は散水板３０の外周側に広がり、止水弁４０の接触面４４と散水板３０が当接している間にも容易に侵入し、コイルスプリング５０の付勢力に逆らって止水弁４０を上流側に押し上げ接触面４４を散水板３０から離すことができ、これにより、散水板３０に形成されている全ての散水孔３１から湯水を散水させることが可能となる。
【００３５】
特に、散水板３０の中央に形成されている散水板錐形部３２と止水弁４３に形成されているテーパー形状４５により、低水圧で湯水の流れが緩い場合でも止水弁４０を上流側に押し上げることが可能となる。
【符号の説明】
【００３６】
１      シャワーヘッド
２      シャワーホース
３      フック
４      上流側端部
５      ジョイント
１０    シャワーヘッド本体
１１    通水路
１２    下流側先端部
１３    対向面
１４    本体錐形部
１５    内周壁
１６    下流側先端部
２０    通水板
２１    外周側周面
２２    通水板開口部
２３    フランジ部
２４    外周壁
３０    散水板
３１    散水孔
３２    散水板錐形部
３３    外周部
４０    止水弁
４１    止水弁開口部
４２    内周壁
４３    接触部
４４    接触面
４５    テーパー形状
５０    弾性体（コイルスプリング）
【図１】
2019118637.tif 000003
【図２】
2019118637.tif 000004
【図３】
2019118637.tif 000005
【図４】
2019118637.tif 000006
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
通水路と、前記通水路の下流側先端部に内周側が開口され周縁に下流方向に向かってフランジ部が形成されている通水板開口部を有した通水板と、を内部に備えるシャワーヘッド本体と、
前記通水路の下流側先端部であって前記通水板に対向し前記シャワーヘッド本体に取り付けられる複数の散水孔を有する散水板と、
前記通水板と前記散水板との間に配置され内周側に前記通水板のフランジ部の外径より大きい止水弁開口部が形成され、止水時に前記散水板と当接し外周側の前記散水孔を閉塞する接触部を有する止水弁と、
前記通水板のフランジ部の外周側で前記止水弁との間に配置される弾性体と、
を備え、
止水時に前記散水板の外周側と当接し外周側の散水孔を閉塞する前記止水弁の接触部の面積は、前記散水板の散水孔を有する部分の面積の４０乃至８０％であり、
前記止水弁は、止水弁開口部の断面形状が前記接触部から前記止水弁開口部までテーパー形状に形成され、前記散水板は、中央部に上流側に向かって散水板錐形部が形成され、前記散水板に対向している前記下流側先端部の対向面には、前記散水板錐形部に対向するように下流側に向かって本体錐形部が形成されていることを特徴とするシャワーヘッド。
【請求項２】
前記弾性体がコイルスプリングであることを特徴とする請求項1に記載のシャワーヘッド。
【手続補正２】
【補正対象書類名】明細書
【補正対象項目名】０００９
【補正方法】変更
【補正の内容】
【０００９】
上記目的を達成するため、本発明の請求項１に係るシャワーヘッドは、通水路と、前記通水路の下流側先端部に内周側が開口され周縁に下流方向に向かってフランジ部が形成されている通水板開口部を有した通水板と、を内部に備えるシャワーヘッド本体と、前記通水路の下流側先端部であって前記通水板に対向し前記シャワーヘッド本体に取り付けられる複数の散水孔を有する散水板と、前記通水板と前記散水板との間に配置され内周側に前記通水板のフランジ部の外径より大きい止水弁開口部が形成され、止水時に前記散水板と当接し外周側の前記散水孔を閉塞する接触部を有する止水弁と、前記通水板のフランジ部の外周側で前記止水弁との間に配置される弾性体と、を備え、止水時に前記散水板の外周側と当接し外周側の散水孔を閉塞する前記止水弁の接触部の面積は、前記散水板の散水孔を有する部分の面積の４０乃至８０％であり、前記止水弁は、止水弁開口部の断面形状が前記接触部から前記止水弁開口部までテーパー形状に形成され、前記散水板は、中央部に上流側に向かって散水板錐形部が形成され、前記散水板に対向している前記下流側先端部の対向面には、前記散水板錐形部に対向するように下流側に向かって本体錐形部が形成されていることを特徴とするものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、本発明の請求項２に係るシャワーヘッドは、請求項１に記載のシャワーヘッドにおいて、前記弾性体がコイルスプリングであることを特徴とするものである。